(57)【要約】【課題】  共通仕様にしてコスト削減を図り、簡単且つ堅牢で拡張性を備えたパネルユニットを用いて大部屋の病室を区画し、十分なプライバシーを保つことができ、快適な入院生活を送ることができる準個室を創出することが可能な病室の準個室化装置を提供する。【解決手段】  直線状に連結した壁面側パネル２の中央に直角に仕切パネル３を連結して平面視Ｔ字形に形成したパネルユニットを一つ以上用い、壁面側パネルを病室の壁面に沿って設置し、大部屋の病室を２つ以上の準個室に区画し、パネルユニット１は、最小単位幅の３枚の基本パネル４を平面視Ｔ字形に連結するとともに、各基本パネルに最小単位幅の整数倍の横幅の拡張パネル５を直線状に連結し、仕切パネルとなる基本パネルの両側のコーナー部に、最小単位幅と同じ横幅の収納家具ユニット９を設置し、何れかの基本パネルに連結した。【選択図】        図１
2010196397.tif 000002
【特許請求の範囲】
【請求項１】
直線状に連結した壁面側パネルの中央に直角に仕切パネルを連結して平面視Ｔ字形のパネルユニットを形成し、このパネルユニットを一つ以上用いてそれぞれのパネルユニットの壁面側パネルを病室の壁面に沿って設置し、大部屋の病室を２つ以上の準個室に区画してなる病室の準個室化装置であって、前記パネルユニットは、最小単位幅の３枚の基本パネルを平面視Ｔ字形に連結するとともに、各基本パネルに最小単位幅の整数倍の横幅の拡張パネルを直線状に連結し、前記仕切パネルとなる基本パネルの両側のコーナー部に、最小単位幅と同じ横幅の収納家具ユニットを設置するとともに、該収納家具ユニットを何れかの基本パネルに連結したことを特徴とする病室の準個室化装置。
【請求項２】
前記最小単位幅は、６００ｍｍ又は４００ｍｍである請求項１記載の病室の準個室化装置。
【請求項３】
前記拡張パネルの横幅は、最小単位幅の２倍である請求項１又は２記載の病室の準個室化装置。
【請求項４】
前記収納家具ユニットは、下方が開放したベース台の上に設置してなる請求項１〜３何れかに記載の病室の準個室化装置。
【発明の詳細な説明】
【技術分野】
【０００１】
本発明は、病室の準個室化装置に係わり、更に詳しくは大部屋をパネルユニットで区画して準個室を形成する病室の準個室化装置に関するものである。
【背景技術】
【０００２】
従来から、入院設備を具備した病院には、複数の患者を収容するいわゆる大部屋と、１人の患者を収容する個室とが設けられている。大部屋では、各入院患者用のスペースを区画するため、各ベッドの周囲を囲むカーテンが備え付けられているのが一般的である。従って、大部屋で各ベッドを使用する入院患者は、カーテンを介して視覚的に外部と遮断することができるが、それ以上の遮蔽効果はなく、プライバシーの十分な保護を得ることはできない。このように大部屋の各ベッドの回りに配設されたカーテンでは、カーテン内の光や音が容易に外部に漏れるので、十分なプライバシーを保つことができないほか、その光や音が周囲に迷惑をかけることもあって、病院の大部屋では快適な入院生活を送ることは難しいというのが現状である。
【０００３】
一方、国の施策として、６床や８床などの大部屋ではなく、１部屋あたりのベッド数を少なくして、病室における一人あたりの面積を増やして患者の入院環境を改善することを推奨している。しかし、単純にベッド数を減らせば、病院側の収入が減るため、国は病室における一人あたりの面積が一定（概ね６．４ｍ2）以上に確保されていれば、医療保険で支払われる入院料とは別に患者が負担するいわゆる差額ベッド料を入院患者側に負担させることを認めている。
【０００４】
そこで、特許文献１には、病院の大部屋において左右で隣り合うベッドの間を、前記ベッドの全長より長くなるように床に設置した積層式のブロックパネルによって仕切ると共に、前記各ベッドの頭部側も前記パネルと同様の積層式のブロックパネルを設置することにより、左右で隣合う２つのベッドの間を平面視略Ｔ状に配設された積層タイプのブロックパネルで仕切り、各ベッドの足元側に開閉可能なカーテンを配置して、準個室を構成することが提案され、好評に実施されている。また、特許文献２、３には、大部屋を壁側パネルと仕切パネルからなる平面視Ｔ字形のパネルユニット及びカーテンで仕切って、準個室を形成するための具体的な構造が開示されている。
【先行技術文献】
【特許文献】
【０００５】
【特許文献１】特許３７６９５５３号公報
【特許文献２】特開２００７−２４８７号公報
【特許文献３】特開２００７−２４８８号公報
【発明の概要】
【発明が解決しようとする課題】
【０００６】
しかしながら、従来の準個室化のためのパネルユニットは、同じ幅で同じ高さの間仕切パネルを連結し、平面視Ｔ字形に構成していたため、パネルの高さが高く、壁面に設けられた呼び出しボタンの端子を始めとする接続ボックスや酸素吸入装置等を露出させるために、壁面側パネルの一部にオープン枠を装着して開口する必要があった。また、病室の角部には構造柱が突出している場合もあり、その突出の仕方も多様である。これら病室の構造によって開口を設ける位置や壁面側のパネルの長さを現地合わせで施工しているのが現状である。更に、準個室を区画する仕切パネルの一端が壁面側パネルに連結されているが、他端は遊端となっており、強固に固定するためには天井に対して支柱を立ち上げるなどの固定手段を必要としていた。
【０００７】
そこで、本発明が前述の状況に鑑み、解決しようとするところは、共通仕様にしてコスト削減を図るとともに、簡単且つ堅牢で拡張性を備えたパネルユニットを用いて大部屋の病室を区画し、十分なプライバシーを保つことができるとともに、快適な入院生活を送ることができる準個室を創出することが可能な病室の準個室化装置を提供する点にある。
【課題を解決するための手段】
【０００８】
本発明は、前述の課題解決のために、直線状に連結した壁面側パネルの中央に直角に仕切パネルを連結して平面視Ｔ字形のパネルユニットを形成し、このパネルユニットを一つ以上用いてそれぞれのパネルユニットの壁面側パネルを病室の壁面に沿って設置し、大部屋の病室を２つ以上の準個室に区画してなる病室の準個室化装置であって、前記パネルユニットは、最小単位幅の３枚の基本パネルを平面視Ｔ字形に連結するとともに、各基本パネルに最小単位幅の整数倍の横幅の拡張パネルを直線状に連結し、前記仕切パネルとなる基本パネルの両側のコーナー部に、最小単位幅と同じ横幅の収納家具ユニットを設置するとともに、該収納家具ユニットを何れかの基本パネルに連結したことを特徴とする病室の準個室化装置を構成した（請求項１）。
【０００９】
具体的には、前記最小単位幅は、６００ｍｍ又は４００ｍｍであること（請求項２）、更には前記拡張パネルの横幅は、最小単位幅の２倍であることが好ましい（請求項３）。
【００１０】
また、前記収納家具ユニットは、下方が開放したベース台の上に設置してなることも好ましい（請求項４）。
【発明の効果】
【００１１】
以上にしてなる請求項１に係る発明の病室の準個室化装置は、前記パネルユニットは、最小単位幅の３枚の基本パネルを平面視Ｔ字形に連結するとともに、各基本パネルに最小単位幅の整数倍の横幅の拡張パネルを直線状に連結し、前記仕切パネルとなる基本パネルの両側のコーナー部に、最小単位幅と同じ横幅の収納家具ユニットを設置するとともに、該収納家具ユニットを何れかの基本パネルに連結したので、仕切パネルを構成する基本パネルの両側が収納家具ユニットで支持されるので、仕切パネルの支持強度が高くなり、特に仕切パネルの遊端を固定する手段を別途設ける必要がなく、施工が簡単になる。また、基本パネルの横幅は狭く、該基本パネルに連結する壁面側の拡張パネルをローパネルとすれば、多くの場合に壁面に有する接続ボックスや酸素吸入装置等を露出させることができ、更に病室の角部の構造柱の突出状態に応じて拡張パネルの連結枚数を調整すれば良いのである。
【００１２】
請求項２によれば、前記最小単位幅は、６００ｍｍ又は４００ｍｍであるので、基本パネルの横幅に収納家具ユニットの横幅を略一致させた場合、適当な大きさの収納家具ユニットとなるとともに、パネル連結部の目地が収納家具ユニットの稜線に一致して外観性が良くなる。
【００１３】
請求項３によれば、前記拡張パネルの横幅は、最小単位幅の２倍であるので、例えば最小単位幅が６００ｍｍの場合、１枚の基本パネルと１枚の拡張パネルで１８００ｍｍの長さになり、また最小単位幅が４００ｍｍの場合、１枚の基本パネルと２枚の拡張パネルで２０００ｍｍの長さになり、共通仕様としてどのような病室にも設置することができる大きさとなる。
【００１４】
請求項４によれば、前記収納家具ユニットは、下方が開放したベース台の上に設置してなるので、収納家具ユニットの下方に空間を有し、掃除機やモップのヘッドを差し入れることができるので、掃除がし易くなる。
【図面の簡単な説明】
【００１５】
【図１】本発明に係るパネルユニットと付属家具との設置例を示す斜視図である。
【図２】大部屋をパネルユニットを用いて準個室化した配置例を示す簡略平面図である。
【図３】笠木にオプションを装着し、パネル端部にクッション材を設けた構造を示す部分縦断正面図である。
【図４】笠木の分解斜視図である。
【図５】笠木と側部カバー及びクッション材との関係を示す分解斜視図である。
【図６】側部カバー及びクッション材の横断平面図である。
【図７】付属家具の収納家具ユニットを示し、（ａ）は正面図、（ｂ）は側面図、（ｃ）は平面図である。
【図８】付属家具の収納家具ユニットをパネルユニットに連結して設置するためのベース台の斜視図である。
【図９】付属家具のテーブルをパネルユニットに連結して設置する構造を示す斜視図である。
【図１０】仕切パネルの端部に目隠しパネルを設けたパネルユニットを示す斜視図である。
【図１１】目隠しパネルの装着状態を示す拡大斜視図である。
【図１２】同じく目隠しパネルの装着状態を示す側面図である。
【図１３】側部カバーに目隠しパネルを装着した状態の部分縦断正面図である。
【図１４】同じく目隠しパネルの装着状態を示す縦断面図である。
【図１５】同じく目隠しパネルの装着状態を示す横断面図である。
【発明を実施するための形態】
【００１６】
次に、添付図面に示した実施形態に基づき、本発明を更に詳細に説明する。図１は本発明に係るパネルユニットを示し、図２はパネルユニットを用いて病室の大部屋を区画し、準個室化した設置例を示し、図中符号１はパネルユニット、２は壁面側パネル、３は仕切パネル、４は基本パネル、５は拡張パネル、６は笠木、７は側部カバー、８はクッション材をそれぞれ示している。
【００１７】
図１に示すように、前記パネルユニット１は、直線状に連結した壁面側パネル２の中央に直角に仕切パネル３を連結して平面視Ｔ字形としたものであり、詳しくは最小単位幅Ｄの３枚の基本パネル４，…を平面視Ｔ字形に連結するとともに、各基本パネル４に最小単位幅の整数倍の横幅ｎＤ（ｎは自然数）の拡張パネル５を直線状に連結して構成している。
【００１８】
更に、前記基本パネル４及び拡張パネル５の上端にはオプションを装着可能な笠木６を取付けるとともに、前記壁面側パネル２及び仕切パネル３の側端に、即ち前記拡張パネル５，…の側端に側部カバー７を取付け、該側部カバー７の突出端部の外側にクッション材８を装着している。
【００１９】
そして、前記パネルユニット１の前記仕切パネル３となる基本パネル４の両側のコーナー部に、最小単位幅と同じ横幅Ｄの収納家具ユニット９を設置するとともに、該収納家具ユニット９を、前記仕切パネル３となる基本パネル４又は前記壁面側パネル２となる基本パネル４の内の何れかの基本パネル４に連結している。ここで、前記収納家具ユニット９をコーナー部を設置し、基本パネル４に連結することにより、前記仕切パネル３の支持強度を高めている。また、本実施形態では、付属家具として前記収納家具ユニット９とテーブル１０を設置している。
【００２０】
本発明に係る前記パネルユニット１は、図２に示すように、前記壁面側パネル２を病室Ｒの壁面Ｗに沿って設置することで、前記仕切パネル３で区画された二つの準個室ｒを作ることができる。通常の６人部屋の病室には、パネルユニット１，１を一対用いてそれぞれのパネルユニット１の壁面側パネル２を病室の相対向した壁面Ｗに沿って設置するとともに、両パネルユニット１，１の仕切パネル間に通路Ｓを設け、大部屋の病室Ｒを４つの準個室ｒ，…に区画することができる。
【００２１】
ここで、本発明において準個室とは、パネル以外の部分は開閉可能なカーテンＫで覆い、ベッドＢの周囲をパネルとカーテンＫで囲った構成であるので、完全な個室とは異なると言う意味で用いている。このような準個室は、面積が６．４ｍ2以上となれば差額ベッド代が発生するのであるが、患者が安静に治療できる環境を提供できるとともに、患者を始め、付添い人、見舞い人のプライバシーを保護することができるのである。
【００２２】
本発明の病室の準個室化装置では、前記パネルユニット１を一つ以上用いてそれぞれのパネルユニット１の壁面側パネル２を病室の壁面Ｗに沿って設置し、大部屋の病室Ｒを２つ以上の準個室ｒ，…に区画するのであり、当該パネルユニット１の設置数と準個室の区画数は問題ではない。
【００２３】
ここで、前記パネルユニット１の拡張性及び汎用性を考慮すると、前記最小単位幅Ｄは、６００ｍｍ又は４００ｍｍであること、更には前記拡張パネル５の横幅は、最小単位幅Ｄの２倍であることが好ましい。例えば、前記最小単位幅Ｄを６００ｍｍとすれば、図２に示すように、基本パネル４と一枚の拡張パネル５を連結すると仕切パネル３の横幅が１８００ｍｍとなり、更にカーテンＫによる仕切りに約３００ｍｍの膨らみを入れると約２１００ｍｍの長さを確保でき、この仕切パネル３の向きにベッドＢの長手方向を向けて設置することができるのである。因みに、一般的な医療用ベッドのサイズは長さが約２１００ｍｍである。そして、準個室として面積６．４ｍ2以上を確保する場合、仕切パネル３に沿った長さを２１００ｍｍとすれば、壁面Ｗに沿った長さを最低でも約３０００ｍｍにする必要がある。この場合、壁面側パネル２を基本パネル４と２枚の拡張パネル５，５を連結して構成すると、３０００ｍｍの長さになる。尚、病室Ｒの隅には、建物の構造柱が張り出していることが多く、壁面Ｗの側の隅の状況は病室毎で異なるが、前述の寸法に設定しておけば拡張パネル５の枚数を減らせば、建物の構造柱を回避することができる。
【００２４】
前記基本パネル４は、少なくとも立ち会っても見渡せないような高さのハイパネルを用い、同じく前記仕切パネル３を構成する拡張パネル５も基本パネル４の高さに合わせてハイパネルを用いている。前記仕切パネル３は、準個室としての区画壁としての機能を果たしている。一方、前記壁面側パネル２を構成する拡張パネル５は、壁面Ｗに呼び出しボタンの端子を始めとする接続ボックスや酸素吸入装置等が設けられているため、これらを露出させるために、高さの低いローパネルを用いている。
【００２５】
前記笠木６と側部カバー７は、配線機能を備えており、またパネル下端部の巾木１２にも配線機能を備えている。前記笠木６の両端部には、コード挿通孔を備えた端部キャップ１３が取付けられ、前記側部カバー７の上端との間にはコーナーキャップ１４が取付けられている。ここで、前記コーナーキャップ１４も内部に配線コードを挿通する空間が形成されている。
【００２６】
また、前記収納家具ユニット９は、図７及び図８に示すように、下方が開放したベース台１１の上に設置している。このように、前記収納家具ユニット９の下方に空間を有していることにより、例えば掃除機やモップのヘッドを差し入れることができるので、掃除がし易くなる。ここで、前記ベース台１１は、平面視四角形のフレーム構造であり、前縁と両側縁に下面側が円弧面で上面側が平面である断面略Ｄ字形の金属製枠部材１５を配して平面視コ字形に固着し、後縁には連結板１６を固着するとともに、前部の両コーナー部の内側に円柱状の脚杆１７，１７を垂設したものである。
【００２７】
そして、前記ベース台１１の連結板１６を前記基本パネル４の表面に当接するとともに、両脚杆１７，１７を床面に接地した状態で、該連結板１６を直接パネルにネジ止めして取付ける。それから、前記収納家具ユニット９を前記枠部材１５に載置し、その底部を該枠部材１５にネジで連結する。また、前記収納家具ユニット９は、隣接する両基本パネル４，４に背面及び側面が接合し、適宜上部で連結することが安定性の面で好ましい。ここで、前記収納家具ユニット９の横幅は、前記基本パネル４の横幅に略一致させて、その背面を前記仕切パネル３又は壁面側パネル２を構成する何れかの基本パネル４に接合して設置する。このように、前記仕切パネル３を挟んで両側にそれぞれ収納家具ユニット９，９を設置することにより、前記壁面側パネル２に対して前記仕切パネル３の姿勢を安定に保つことができるのである。前記ベース台１１の枠部材１５により、前記収納家具ユニット９の底部の角部を保護し、掃除機やモップの柄が直接収納家具ユニット９の底部の角部に接触しないようにするとともに、該枠部材１５の下面側が円弧面となっていることから、掃除機やモップの柄を損傷することも防止している。
【００２８】
また、本実施形態では、図１及び図９に示すように、前記収納家具ユニット９に連続して前記仕切パネル３に沿ってテーブル１０を設置している。この場合、前記テーブル１０の後縁を前記拡張パネル５の表面に接合するとともに、後部両側をアングル金具１８，１８で直接拡張パネル５にネジで連結し、また前部両側に垂下した支脚１９，１９で支持している。
【００２９】
本実施形態に係る各パネルの構造は共通しており、金属製のフレーム２０の表面側に分割パネル板を嵌着したものである。前記フレーム２０には、上杆２１と両側に縦杆２２，２２を有し、前記上杆２１の上面に前記笠木６を上方からネジ２３，…にて取付けるとともに、前記縦杆２２の外側面に前記側部カバー７を内側からネジ２４，…にて取付けるようになっている。前記笠木６と側部カバー７は、アルミ押出し型材から製作している。
【００３０】
次に、前記笠木６を用いてカウンター板２５や液晶テレビ等のフラットパネルディスプレイ（ＦＰＤ）を始めてして各種のオプションを取付ける構造と、また配線機能について説明する。前記笠木６は、図３及び図４に示すように、上端中央部に上方へ開放した装着溝２６を形成するとともに、内部の上下中央部に設けた水平な仕切板２７で区画された配線空間を備え、前記装着溝２６にオプションを取付けることができるようになっている。
【００３１】
更に詳しくは、前記笠木６は、前記仕切板２７より上方の両側面が上方になるにつれて接近するように滑らかに湾曲した円弧側面板２８，２８を有し、該円弧側面板２８の上端が前記仕切板２７の上面両側部から立ち上げた立壁部２９に連続し、両立壁部２９，２９間に上方へ開放した前記装着溝２６を形成している。そして、前記両立壁部２９，２９の上部には、前記円弧側面板２８側へ凹んだ条溝３０，３０を相対向して形成している。そして、前記装着溝２６内の条溝３０，３０にオプションを取付ける支持部材３１の係止部３２を係合させるとともに、該支持部材３１の下部を装着溝２６の溝縁、即ち笠木６の上縁に係止し、両者を引き付けて保持するのである。尚、前記装着溝２６を利用して支持部材３１を取付ける構造としては、周知の各種構造を採用することができ、例えば支持部材３１の下端に前記係止部３２から上方へ延びた螺軸を螺合し、該係止部３２を装着溝２６の条溝３０，３０に回転不能に係止した状態で支持部材３１の本体を回転させて締め付ける構造である。
【００３２】
前記笠木６は、全体的に上下に厚く重厚であるとともに、滑らかに湾曲した円弧側面板２８，２８を有しているので、全体として柔らかいイメージに仕上がっており、従来のオフィス用の間仕切パネルの笠木にありがちな偏平で無機質なイメージを払拭している。
【００３３】
また、前記笠木６の装着溝２６でオプション用の支持部材３１を取付けてない部分には、アルミニウム又は合成樹脂の押出し型材からなるカバー部材３３を嵌着している。そして、前記笠木６の端部に、前記装着溝２６と、仕切板２７より下方の配線空間３４に連通するコード挿通孔３５を形成した偏平な端部キャップ１３を取付ける。それには、前記笠木６の仕切板２７に形成した一対の断面Ｃ字形の下穴３６，３６を利用し、該笠木６の端部に嵌合した端部キャップ１３をネジ３７，３７で取付けている。
【００３４】
前記笠木６の底面板３８と仕切板２７及び側面板とで形成された断面略四角形の配線空間３４に配線コードを挿通するとともに、前記端部キャップ１３のコード挿通孔３５から引き出して配線することができる。また、前記装着溝２６の底部にも配線コードを配設することができ、前記同様に前記コード挿通孔３５から引き出すことができるようになっている。前記仕切パネル３の基本パネル４と拡張パネル５の上端に取付けた笠木６，６の端部同士は、各端部キャップ１３，１３が接合し、それぞれのコード挿通孔３５，３５が連通するので、全長に渡って配線することができる。
【００３５】
また、前記笠木６をフレーム２０の上杆２１にネジ止めするために、前記底面板３８に前記ネジ２３の取付孔３９を形成し、該取付孔３９の直上の仕切板２７にネジ２３の頭部とドライバーが通過可能な通孔４０を所定数形成している。
【００３６】
そして、図３、図５及び図６に示すように、前記壁面側パネル２及び仕切パネル３の側端に、内部に配線用の縦ダクト４１を設けた側部カバー７を取付け、前記コーナーキャップ１４の垂直面側に突設した上向きフック４２を前記笠木６の端部キャップ１３のコード挿通孔３５の孔縁に下方から係止するとともに、該コーナーキャップ１４の水平面側を前記側部カバー７の上端に嵌合している。その手順は、先ず前記側部カバー７をフレーム２０の縦杆２２に取付けた後、前記端部キャップ１３のコード挿通孔３５の孔縁にコーナーキャップ１４の上向きフック４２を係止した状態で、前記笠木６をフレーム２０の上杆２１に載置すると同時に、該コーナーキャップ１４の水平面側を前記側部カバー７の上端に嵌合し、最後に前記笠木６を上杆２１にネジ止めするのである。こうすることによって、前記コーナーキャップ１４は、垂直面側を笠木６の端部キャップ１３に係止し、水平面側を側部カバー７の上端に外嵌しているだけであるが、外れることがないのである。
【００３７】
また、前記コーナーキャップ１４の垂直面側には、下方開放した逆Ｕ字形の開口４３を形成してあり、前記笠木６から側部カバー７へ配線コードを配線した後に、当該コーナーキャップ１４を所定位置に取付ける際に、前記開口４３内に配線コードを受け入れることができるようになっている。
【００３８】
更に詳しくは、前記側部カバー７は、図５及び図６に示すように、配線用の縦ダクト４１となる中空杆体４４の外側面に、内側に円弧状に湾曲した一対の芯片４５，４５を突設するとともに、該芯片４５の基部の外側に沿って係合溝４６を形成したものである。この側部カバー７を前記フレーム２０の縦杆２２に取付けるには、前記中空杆体４４の側面を前記縦杆２２の外側面に当接し、前記縦杆２２の内側から挿通したネジ２４を中空杆体４４の側面に螺合するのである。
【００３９】
また、前記クッション材８は、図５及び図６に示すように、断面略Ｕ字形に成形し、前記側部カバー７の両芯片４５，４５を包持するように外被するとともに、両端に内向きに突設した突条４７，４７を前記係合溝４６，４６に嵌合して取付ける。ここで、前記クッション材８は、弾力性を有するエラストマー４８の表面に樹脂シート４９を接合したものである。
【００４０】
更に、前記側部カバー７の下端に前記クッション材８の下方移動を規制する規制板５０を取付けている。また、前記クッション材８の上方移動は、前記笠木６の端部と該側部カバー７の上端との間に取付けた前記コーナーキャップ１４の水平面側で規制している。ここで、前記規制板５０は馬蹄形の金属板であり、前記側部カバー７の芯片４５，４５の中間部に形成した断面略Ｃ字形の下穴５１，５１に規制板５０の通孔を通したネジ５２，５２を螺合して取付ける。
【００４１】
前記仕切パネル３の端部に取付けた側部カバー７に、前記クッション材８を装着することにより、ベッドを移動させたり、車椅子で移動しているときに、該仕切パネル３の端部に衝突しても衝撃を緩和することができ、傷付きも防止することができる。更に、患者や老人が前記仕切パネル３の端部を掴んで歩行し、あるいは立ち上がることが想定されるが、その場合、前記芯片４５，４５を包持するようにクッション材８を外被しているので、掴み易く、指が滑ることもないのである。つまり、前記クッション材８は、掴むと押しつぶされて部分的に凹むが、それにより指が上下に滑り難くなり、しかも内部に芯片４５，４５が存在するので安定して掴むことができ、十分に体を支えることができる。
【００４２】
また、図１に示すように、前記壁面側パネル２を構成する拡張パネル５の内面側には、パネル面にクッションシート５３を添設している。前記クッションシート５３は、前記ベッドＢを移動する際に、前記壁面側パネル２への衝突を緩和するためと、該壁面側パネル２自体の傷付きを防止するために設けている。また、前記壁面側パネル２には、前記ベッドＢの頭部側が位置するので、前記クッションシート５３が存在することにより、予期せぬ状況下で患者の頭部が当っても保護することもできる。更に、前記クッションシート５３の上位に、照明装置のスイッチ類やＬＡＮ端子等の端子類を設けた制御パネル５４を設けている。前記笠木６の装着溝２６を利用してＦＰＤや照明装置等の電気・電子機器を設けた場合に、前記笠木６や側部カバー７、更に巾木１２を利用して配線した配線コードを前記制御パネル５４に接続して制御できるようになっている。前記仕切パネル３の笠木６に間接照明装置を設けても、前記制御パネル５４で操作できる。
【００４３】
次に、図１０〜図１５に基づいて、前記仕切パネル３の端部両側にそれぞれ目隠しパネル５５，５５を設けた実施形態を説明する。本実施形態の側部カバー７は、前記中空杆体４４の両側面に沿って係合溝５６，５６を形成した構造となっている。その他の部分は、前記同様であるので、同一構成には同一符号を付してその説明を省略する。また、前記側部カバー７の中空杆体４４の下端部に、接地脚５７，５７を直角に連結し、該接地脚５７の上面に設けた支持溝５８と前記係合溝５６とに、前記目隠しパネル５５の下縁と一側縁をそれぞれ嵌合し、パッキン５９で弾性的に保持している。
【００４４】
前記接地脚５７，５７の端部下端にはアジャスター６０をそれぞれ設け、床面に圧接して前記仕切パネル３を更に安定に支持している。実際には、前記側部カバー７の中空杆体４４の両側面を切り欠き、そこにアルミ押出し型材からなる一本の接地脚５７の中央部を嵌合し、中空杆体４４の前後面からネジ止めしている。尚、前記接地脚５７の端部には、キャップ６１を嵌着している。
【００４５】
前記目隠しパネル５５は、不透明又は半透明のアクリル樹脂板やガラス板等で作製し、前記テーブル１０が隠れる寸法に設定している。こうすることによって、テーブル１０の上で読書をしたり、文章を作成したり、あるいはパソコンを操作するときのプライバシー性をより高めることができる。
【符号の説明】
【００４６】
１  パネルユニット、      ２  壁面側パネル、
３  仕切パネル、          ４  基本パネル、
５  拡張パネル、          ６  笠木、
７  側部カバー、          ８  クッション材、
９  収納家具ユニット、    １０  テーブル、
１１  ベース台、          １２  巾木、
１３  端部キャップ、      １４  コーナーキャップ、
１５  枠部材、            １６  連結板、
１７  脚杆、              １８  アングル金具、
１９  支脚、              ２０  フレーム、
２１  上杆、              ２２  縦杆、
２３  ネジ、              ２４  ネジ、
２５  カウンター板、      ２６  装着溝、
２７  仕切板、            ２８  円弧側面板、
２９  立壁部、            ３０  条溝、
３１  支持部材、          ３２  係止部、
３３  カバー部材、        ３４  配線空間、
３５  コード挿通孔、      ３６  下穴、
３７  ネジ、              ３８  底面板、
３９  取付孔、            ４０  通孔、
４１  縦ダクト、          ４２  上向きフック、
４３  開口、              ４４  中空杆体、
４５  芯片、              ４６  係合溝、
４７  突条、              ４８  エラストマー、
４９  樹脂シート、        ５０  規制板、
５１  下穴、              ５２  ネジ、
５３  クッションシート、  ５４  制御パネル、
５５  目隠しパネル、      ５６  係合溝、
５７  接地脚、            ５８  支持溝、
５９  パッキン、          ６０  アジャスター、
６１  キャップ、
Ｄ  最小単位幅、          Ｒ  病室、
ｒ  準個室、              Ｂ  ベッド、
Ｋ  カーテン、            Ｗ  壁面、
Ｓ  通路。
【図１】
2010196397.tif 000003
【図２】
2010196397.tif 000004
【図３】
2010196397.tif 000005
【図４】
2010196397.tif 000006
【図５】
2010196397.tif 000007
【図６】
2010196397.tif 000008
【図７】
2010196397.tif 000009
【図８】
2010196397.tif 000010
【図９】
2010196397.tif 000011
【図１０】
2010196397.tif 000012
【図１１】
2010196397.tif 000013
【図１２】
2010196397.tif 000014
【図１３】
2010196397.tif 000015
【図１４】
2010196397.tif 000016
【図１５】
2010196397.tif 000017